(57)【要約】【課題】分類や整理等に役立つ情報が併せられたテレビジョン画像を印刷出力することのできるテレビジョン装置を提供すること。【解決手段】本発明のテレビジョン装置は、キャプチャ信号を検出するキャプチャ信号検出部と、キャプチャ信号が検出されると、現在の日時、および、表示中のテレビジョン画像のチャンネルを取得する放送情報取得部と、取得された日時およびチャンネルに基づいて、受信するＥＰＧを探索するＥＰＧ探索部と、探索されたＥＰＧから番組情報を取得する番組情報取得部と、キャプチャ画像、および、取得された番組情報が合成された情報付加画像を形成する合成画像生成部と、形成された情報付加画像９をプリンタに印刷出力させる印刷出力部とを備えている。【選択図】図９
2007006130.tif 000002
【特許請求の範囲】
【請求項１】
テレビジョン放送信号を受信する受信手段と、当該受信手段により受信されたテレビジョン放送信号に基づくテレビジョン画像を表示する画像表示手段と、前記テレビジョン画像を印刷出力する印刷出力手段と、入力操作に応じた操作信号を出力する操作手段と、これらを含む装置本体の駆動制御を行う制御手段とを備えるテレビジョン装置であって、
前記制御手段は、
日時を計時する計時部と、
前記操作手段から出力された操作信号のうち、前記画像表示手段により表示されているテレビジョン画像から静止画像の取込みを指示するキャプチャ信号を検出するキャプチャ信号検出部と、
当該キャプチャ信号検出部によりキャプチャ信号が検出されると、表示中のテレビジョン画像を静止画像として取込む静止画像取込部と、
前記キャプチャ信号検出部によりキャプチャ信号が検出されると、前記計時部から現在の日時を取得し、前記受信手段から前記表示中のテレビジョン画像のチャンネルを取得する放送情報取得部と、
当該放送情報取得部により取得された日時およびチャンネルに基づいて、前記受信手段により受信された電子番組表を探索し、前記表示中のテレビジョン画像が属するテレビ番組を特定する電子番組表探索部と、
前記電子番組表から前記テレビ番組の番組情報を取得する番組情報取得部と、
前記静止画像取込部により取込まれた静止画像に、前記番組情報取得部により取得された番組情報を重畳表示して合成画像を生成する合成画像生成部と、
当該合成画像生成部により生成された合成画像を前記印刷出力手段に印刷させるための印刷出力信号を生成する印刷出力制御部とを備えていることを特徴とするテレビジョン装置。
【請求項２】
請求項１に記載のテレビジョン装置において、
前記制御手段は、
前記受信手段により受信される電子番組表を記憶する電子番組表記憶部と、
前記受信手段により受信される電子番組表を定期的に取得し、当該電子番組表に基づいて、前記電子番組表記憶部に記憶された電子番組表を更新する電子番組表更新部とを備え、
前記電子番組表探索部は、前記電子番組表記憶部に記憶された電子番組表を探索することを特徴とするテレビジョン装置。
【請求項３】
請求項１または請求項２に記載のテレビジョン装置において、
前記制御手段は、
前記合成画像生成部による合成画像の生成に際し、前記静止画像取込部により取込まれた静止画像上のどの位置に前記番組情報を重畳表示させるのかの指定を促す表示位置指定部を備え、
前記合成画像生成部は、この表示位置指定部により指定された位置に基づいて、合成画像を生成することを特徴とするテレビジョン装置。
【請求項４】
請求項１から請求項３のいずれかに記載のテレビジョン装置において、
前記制御手段は、
前記番組情報取得部により取得された番組情報のうち、前記静止画像取込部により取込まれた静止画像に重畳表示させる番組情報の選択を促す番組情報選択部を備え、
前記合成画像生成部は、前記静止画像取込部により取込まれた静止画像に、前記番組情報選択部により選択された番組情報を重畳表示させて、合成画像を生成することを特徴とするテレビジョン装置。
【発明の詳細な説明】
【技術分野】
【０００１】
本発明は、テレビジョン装置に関する。
【背景技術】
【０００２】
近年、表示中のテレビジョン画像から静止画像を取込み、取込まれた静止画像を印刷出力するテレビジョン装置が普及している。
ここで、例えば、あるテレビ番組のテレビジョン画像から取込まれた静止画像を印刷用紙等に印刷する場合、このテレビ番組の放送日時、チャンネルおよび番組内容等の番組情報を、静止画像に併せて印刷出力すると、印刷用紙上の静止画像がどのようなテレビ番組の画像であったのかをラベリングすることができる。また、印刷された静止画像に番組情報が印字されていることから、静止画像の分類や整理等に役立てることができる。
【０００３】
このような印刷処理に類似する技術として、テレビ番組から取り込んだ静止画像と、このテレビ番組とともに配信された文字放送のテキストデータとを、一枚の用紙にレイアウトして印刷出力する画像処理装置が挙げられる（例えば、特許文献１）。
特許文献１に記載の画像処理装置は、テレビジョン映像の静止画像を取り込むと同時に、テレビジョン放送信号とともに受信される文字放送のテキストデータを自動的に抽出し、取り込んだ静止画像と、抽出した文字放送のテキストデータとを、プリンタに適したフォーマットでレイアウトして印刷出力する。
【０００４】
【特許文献１】特開平１０−１６４５２１号公報
【発明の開示】
【発明が解決しようとする課題】
【０００５】
しかし、特許文献１に記載の画像処理装置は、テレビジョン放送信号とともに配信される文字放送のテキストデータを、静止画像に併せて印刷出力するだけのものに過ぎない。すなわち、特許文献１に記載の画像処理装置では、静止画像とともに、放送されているテレビ番組とは全く内容の異なる文字放送の情報が印刷されたり、テレビ番組のあらすじや字幕等が印刷されたりすることが考えられる。
従って、特許文献１に記載の画像処理装置が、前述したような、印刷用紙に印刷した静止画像の分類や整理等に役立つ印刷処理を行うことは難しい。
【０００６】
本発明の目的は、分類や整理等に役立つ情報が併せられたテレビジョン画像を印刷出力することのできるテレビジョン装置を提供することである。
【課題を解決するための手段】
【０００７】
前記した目的を達するために、本発明のテレビジョン装置は、テレビジョン放送信号を受信する受信手段と、当該受信手段により受信されたテレビジョン放送信号に基づくテレビジョン画像を表示する画像表示手段と、前記テレビジョン画像を印刷出力する印刷出力手段と、入力操作に応じた操作信号を出力する操作手段と、これらを含む装置本体の駆動制御を行う制御手段とを備えるテレビジョン装置であって、前記制御手段は、日時を計時する計時部と、前記操作手段から出力された操作信号のうち、前記画像表示手段により表示されているテレビジョン画像から静止画像の取込みを指示するキャプチャ信号を検出するキャプチャ信号検出部と、当該キャプチャ信号検出部によりキャプチャ信号が検出されると、表示中のテレビジョン画像を静止画像として取込む静止画像取込部と、前記キャプチャ信号検出部によりキャプチャ信号が検出されると、前記計時部から現在の日時を取得し、前記受信手段から前記表示中のテレビジョン画像のチャンネルを取得する放送情報取得部と、当該放送情報取得部により取得された日時およびチャンネルに基づいて、前記受信手段により受信された電子番組表を探索し、前記表示中のテレビジョン画像が属するテレビ番組を特定する電子番組表探索部と、前記電子番組表から前記テレビ番組の番組情報を取得する番組情報取得部と、前記静止画像取込部により取込まれた静止画像に、前記番組情報取得部により取得された番組情報を重畳表示して合成画像を生成する合成画像生成部と、当該合成画像生成部により生成された合成画像を前記印刷出力手段に印刷させるための印刷出力信号を生成する印刷出力制御部とを備えていることを特徴とする。
【０００８】
電子番組表として、例えば、ＥＰＧ（Electronic Program Guide）が挙げられる。番組情報として、例えば、テレビ番組の放送日時、チャンネル、番組内容、出演者、ジャンル等が挙げられる。
【０００９】
本発明によれば、まず、キャプチャ信号検出部でキャプチャ信号が検出されると、画像表示手段で表示されているテレビジョン画像から静止画像が取込まれるとともに、放送情報取得部が、現在の日時、および、表示中のテレビジョン画像のチャンネルを取得する。番組情報取得部は、電子番組表を参照して、取得された日時およびチャンネルを基に、取込まれた静止画像が属するテレビ番組を確定する。
次に、番組情報取得部は、電子番組表に含まれている当該テレビ番組の番組情報を取得する。合成画像生成部は、取込まれた静止画像に、取得された番組情報を重畳表示し、合成画像を生成する。そして、生成された合成画像は、印刷出力手段により印刷用紙等に印刷出力される。
【００１０】
すなわち、放送情報取得部により取得された日時およびチャンネルから特定されるテレビ番組は、静止画像取込部により取込まれた静止画像が属するテレビ番組である。これより、印刷出力された合成画像には、静止画像とともに、この静止画像が属するテレビ番組の番組情報が印字される。
【００１１】
従って、本発明のテレビジョン装置は、静止画像に関係のある情報を、当該静止画像とともに印刷出力することができる。
さらに、本発明のテレビジョン装置は、印刷用紙上の静止画像がどのようなテレビ番組の画像であったのかを、ユーザに知らせることができる。
また、ユーザは、印字された番組情報の種別（放送日時、チャンネル、番組内容、出演者、ジャンル等）を基に、印刷出力された静止画像の分類や整理等を行うことができる。
【００１２】
本発明では、前記制御手段は、前記受信手段により受信される電子番組表を記憶する電子番組表記憶部と、前記受信手段により受信される電子番組表を定期的に取得し、当該電子番組表に基づいて、前記電子番組表記憶部に記憶された電子番組表を更新する電子番組表更新部とを備え、前記電子番組表探索部は、前記電子番組表記憶部に記憶された電子番組表を探索することが好ましい。
【００１３】
本発明によれば、電子番組表記憶部に記憶される電子番組表は、電子番組更新部によって、最新の電子番組表に定期的に更新される。すなわち、番組情報取得部が取得する番組情報も最新の番組情報となる。
従って、本発明のテレビジョン装置は、印刷出力される静止画像に、新鮮な番組情報を印字することができる。
【００１４】
さらに、受信手段により受信された電子番組表は、電子番組表記憶部に記憶され、この電子番組表記憶部に記憶された電子番組表から番組情報が取得される。すなわち、番組情報取得部は、静止画像の取込みと同時期に受信された情報をそのまま取得するのではなく、電子番組表記憶部に一時記憶されている情報を取得する。
従って、番組情報取得部は、記憶されている電子番組表から番組情報を厳選して取得することができる。
【００１５】
本発明では、前記制御手段は、前記合成画像生成部による合成画像の生成に際し、前記静止画像取込部により取込まれた静止画像上のどの位置に前記番組情報を重畳表示させるのかの指定を促す表示位置指定部を備え、前記合成画像生成部は、この表示位置指定部により指定された位置に基づいて、合成画像を生成することが好ましい。
【００１６】
本発明によれば、ユーザは、表示位置指定部の誘導に従って、静止画像上での番組情報の表示位置を調整することができる。例えば、静止画像に文字が表示されている場合でも、その文字と重ならない位置に番組情報を配置させることで、文字や番組情報が見難くなることを避けることができる。
【００１７】
本発明では、前記制御手段は、前記番組情報取得部により取得された番組情報のうち、前記静止画像取込部により取込まれた静止画像に重畳表示させる番組情報の選択を促す番組情報選択部を備え、前記合成画像生成部は、前記静止画像取込部により取込まれた静止画像に、前記番組情報選択部により選択された番組情報を重畳表示させて、合成画像を生成することが好ましい。
【００１８】
本発明によれば、ユーザは、番組情報選択部の誘導に従って、取込まれた静止画像に重畳表示させる番組情報の種別を選択することができる。例えば、ユーザが、印刷出力された静止画像をテレビ番組のジャンルで分類したい場合、番組情報選択部の誘導時に、番組情報の「ジャンル」の種別を選択すると、静止画像には、その静止画像が属するテレビ番組のジャンルが印字される。これにより、ユーザは、印刷出力された静止画像の分類や整理などをさらにし易くなる。
従って、本発明のテレビジョン装置は、ユーザの希望する種別の番組情報を静止画像に重畳表示させて印刷出力することができる。
【発明を実施するための最良の形態】
【００１９】
本発明の一実施形態を、図１〜図９を用いて説明する。
〔１．テレビジョン装置１の構成〕
〔1-1．テレビジョン装置１の概略構成〕
図１は、本実施形態のテレビジョン装置１の内部構成を示すブロック図である。
本実施形態のテレビジョン装置１は、図１に示すように、装置本体２と、この装置本体２を遠隔操作するリモートコントローラ３とを備えている。
【００２０】
このうち、リモートコントローラ３は、図示を省略するが、複数の操作キーを備え、ユーザにより操作キーが押下されると、当該入力キーに応じた操作信号を赤外線により装置本体２に送信する。
操作キーとして、例えば、チャンネルを切り替えるためのチャンネルキー、表示中のテレビジョン画像を静止画像（キャプチャ画像）として取込むためのキャプチャキー、取込まれた静止画像を後述するプリンタ５に印刷出力させるためのプリントキー、上下左右の移動を指示する上下左右キー等が設けられている。
なお、リモートコントローラ３は、赤外線によって操作信号を出力するとしたが、電波によって操作信号を送信するように構成してもよい。
【００２１】
〔1-2．装置本体２の内部構成〕
装置本体２は、テレビジョン放送信号に含まれるテレビ番組等の画像情報および音声情報を取得して、当該画像情報に応じた画像を形成、表示するとともに、当該音声情報に応じた音声を出力する。また、装置本体２は、テレビジョン放送信号とともに配信される電子番組表としてのＥＰＧ（Electronic Program Guide）を受信、取得する。なお、ＥＰＧは、本発明の電子番組表に相当する。
装置本体２は、図１に示すように、画像表示手段４と、印刷出力手段としてのプリンタ５と、制御手段としての制御基板６とを備えている。
画像表示手段４は、後述する制御基板６から出力された表示画像信号に応じた表示画像を形成、表示するものである。
プリンタ５は、後述する制御基板６から出力された印刷出力信号に応じた印刷画像を、印刷用紙に印刷するものである。
【００２２】
〔1-3．制御基板６の構成〕
制御基板６は、装置本体２を制御する回路基板として構成されている。制御基板６は、図１に示すように、ＣＰＵ（Central Processing Unit）６１と、メモリ６２と、受信手段としてのチューナ６３と、デマルチプレクサ６４と、ＥＰＧ処理部６５と、画像情報処理部６６と、画像メモリ６７と、信号インターフェイス（信号Ｉ／Ｆ）６８と、印刷出力制御部としての印刷出力部６９とを備えている。
【００２３】
このうち、メモリ６２には、ＣＰＵ６１およびＥＰＧ処理部６５によって処理されるプログラムや各種データが格納されている。具体的には、メモリ６２内に設けられたＥＰＧ記憶領域６２１には、ＥＰＧ処理部６５によりＥＰＧが記録される。なお、ＥＰＧ記憶領域６２１は、本発明の電子番組表記憶部に相当する。
信号Ｉ／Ｆ６８は、リモートコントローラ３から送信された赤外線の操作信号を受信し、デジタル形式の電気信号に変換してＣＰＵ６１に出力する。
印刷出力部６９は、後述するＣＰＵ６１から出力された印刷出力制御信号に応じて、印刷出力信号をプリンタ５に出力する。
【００２４】
チューナ６３は、アンテナ１１を介して受信されたテレビジョン放送信号から、ユーザが選択したチャンネルに応じた周波数のテレビジョン放送信号を選択して受信し、一定周波数の信号に変換してデマルチプレクサ６４に出力する。
デマルチプレクサ６４は、チューナ６３により変換された信号のうち、画像情報、音声情報、および、ＥＰＧを分離、抽出する。これらのうち、画像情報は、画像情報処理部６６に出力され、ＥＰＧは、電子番組表更新部としてのＥＰＧ処理部６５に出力される。
また、音声情報は、図示を省略するが、音声情報処理部で処理され、スピーカを介して当該音声情報に応じた音声として出力される。
【００２５】
ＥＰＧ処理部６５は、デマルチプレクサ６４から出力されたＥＰＧを処理して、メモリ６２内のＥＰＧ記憶領域６２１に記録する。
このＥＰＧには、例えば、画像表示手段４で表示されるテレビ番組の番組情報（放送日、放送時間、チャンネル、タイトル、番組内容、出演者、ジャンル等）が含まれる。
ＥＰＧ処理部６５は、取得したＥＰＧから、テレビ番組表のようなテーブルを形成し、ＥＰＧ記憶領域６２１に記録する。このようなテーブルは、具体的には、放送日時・チャンネルと、テレビ番組とを関連付け、さらに、テレビ番組と、そのテレビ番組のタイトル、番組内容、出演者およびジャンルとを関連づけて記録している。さらに、このようなテーブルは、表示画像として画像表示手段４により画面表示される。
【００２６】
なお、ＥＰＧ処理部６５は、定期的に新しいＥＰＧを取得し、当該ＥＰＧに基づいて、ＥＰＧ記憶領域６２１に記録されている前回のＥＰＧを更新する。すなわち、ＥＰＧ記憶領域６２１には、最新のＥＰＧが記録されていることとなる。
【００２７】
〔1-4．ＣＰＵの機能的構成〕
図２は、ＣＰＵ６１の機能的構成を示すブロック図である。
ＣＰＵ６１は、計時部としてのタイマ６１１と、キャプチャ信号検出部６１２と、画像情報処理制御部６１３と、プリント信号検出部６１４と、印刷出力制御部６１５と、放送情報取得部６１６と、番組情報処理部６１７とを備えている。
タイマ６１１は、現在の日時、すなわち、現在の年、月、日および時刻を計時している。
キャプチャ信号検出部６１２は、リモートコントローラ３から信号Ｉ／Ｆ６８を介して入力されたキャプチャ信号を検出する。
画像情報処理制御部６１３は、キャプチャ信号検出部６１２により検出されたキャプチャ信号に応じて、後述する画像情報処理部６６を構成する描画処理部６６２（図１）に、キャプチャ処理の実行を命令する。
【００２８】
プリント信号検出部６１４は、リモートコントローラ３から信号Ｉ／Ｆ６８を介して入力されたプリント信号を検出する。
印刷出力制御部６１５は、プリント信号検出部６１４により検出されたプリント信号に応じて、放送情報取得部６１６に番組情報取得処理の実行を命令する。さらに、印刷出力制御部６１５は、後述するが、描画処理部６６２（図１）から出力された情報付加画像生成完了の連絡を取得すると、画像メモリ６７に記録された情報付加画像を読取り、当該情報付加画像をプリンタ５に印刷させるための印刷出力制御信号を生成、出力する。
【００２９】
放送情報取得部６１６は、プリント信号検出部６１４から番組情報取得処理の実行命令が出力されると、タイマ６１１から現在の日時を取得し、さらに、チューナ６３から現在選択されているテレビジョン放送信号のチャンネルを取得する。すなわち、取得されたチャンネルは、画像表示手段４により表示中のテレビ番組のチャンネルとなる。
そして、放送情報取得部６１６は、取得した日時及びチャンネルを番組情報処理部６１７に出力する。
【００３０】
番組情報処理部６１７は、後にキャプチャ画像に重畳表示される番組情報を、ユーザの指示に応じて取得する。番組情報処理部６１７は、電子番組表探索部としてのＥＰＧ探索部６１７１と、番組情報選択部６１７３と、番組情報取得部６１７２とを備えている。
ＥＰＧ探索部６１７１は、放送情報取得部６１６から出力された日時及びチャンネルに基づいて、メモリ６２内のＥＰＧ記憶領域６２１に記録されているＥＰＧを探索して、当該日時に当該チャンネルで放送されているテレビ番組を特定する。
【００３１】
番組情報取得部６１７２は、ＥＰＧ探索部６１７１によりテレビ番組が特定されると、ＥＰＧに記録されている当該テレビ番組の番組情報を取得する。
番組情報選択部６１７３は、後述する画像情報処理部６６内の描画処理部６６２（図１）に、番組情報選択画面の形成を命令する。なお、番組情報選択画面とは、番組情報取得部６１７２により取得された番組情報のうち、キャプチャ画像に重畳表示される番組情報の種別の選択をユーザに促す表示画面である。
そして、番組情報選択部６１７３は、番組情報選択画面上で選択された種別の番組情報、および、当該番組情報をキャプチャ画像に重畳表示させるための画像合成処理の実行命令を、描画処理部６６２（図１）に出力する。
【００３２】
〔1-5．画像情報処理部６６の構成〕
画像情報処理部６６は、デマルチプレクサ６４から出力された画像情報に対し画像処理を行い、さらに、ＣＰＵ６１から出力された命令に従ってキャプチャ処理および描画処理を行う。
画像情報処理部６６は、図１に示すように、画像処理部６６１と、描画処理部６６２と、画像出力部６６３とを備えている。
画像処理部６６１は、デマルチプレクサ６４から出力された画像情報を、画像表示手段４の仕様に適応する１フレームごとの画像情報に変換して描画処理部６６２に出力する。
【００３３】
図３は、描画処理部６６２の機能的構成を示すブロック図である。
描画処理部６６２は、画像処理部６６１から出力された画像情報に対し、画像サイズの調整や画面表示位置の調整等を行い、画像メモリ６７に１フレームの表示画像として記録する。
さらに、描画処理部６６２は、キャプチャ処理を実行する静止画像取込部６６２１と、画像合成処理を実行する番組情報画像形成部６６２２、表示位置指定部６６２３、および、合成画像生成部６６２４を備えている。
静止画像取込部６６２１は、ＣＰＵ６１から出力されたキャプチャ処理の実行命令を取得すると、画像表示手段４で表示されているテレビジョン画像から、キャプチャ画像（すなわち、画像メモリ６７に記録されている表示画像）を取込むキャプチャ処理を行う。そして、静止画像取込部６６２１は、キャプチャ画像を画像メモリ６７に記録する。
【００３４】
番組情報画像形成部６６２２は、ＣＰＵ６１の番組情報取得部６１７２から出力された番組情報、および、画像合成処理の実行命令に従って、当該番組情報がテキスト表示された番組情報画像を形成する。
表示位置指定部６６２３は、画像メモリ６７に記録されているキャプチャ画像を読取り、当該キャプチャ画像に、番組情報画像形成部６６２２により形成された番組情報画像を重畳表示した表示位置調整画面を形成する。
表示位置調整画面とは、キャプチャ画像上での番組情報画像の表示位置の調整および指定をユーザに促す表示画面である。
具体的には、表示位置指定部６６２３は、表示位置調整画面上の番組情報画像の周囲に、それぞれ上下左右を指す４つの矢印を表示して、ユーザに番組情報画像の移動を促す。そして、リモートコントローラ３の上下左右キーの入力操作に応じて、表示位置調整画面上で番組情報画像を移動させる。
表示位置指定部６６２３は、ユーザによって表示位置調整画面上で番組情報画像の表示位置が指定されると、指定された表示位置を取得する。
【００３５】
合成画像生成部６６２４は、表示位置指定部６６２３により取得された表示位置に基づいて、キャプチャ画像に番組情報画像が重畳表示された情報付加画像を生成する。そして、合成画像生成部６６２４は、生成された情報付加画像を画像メモリ６７に記録する。なお、情報付加画像は、本発明の合成画像に相当する。
【００３６】
図１に戻り、画像出力部６６３は、画像情報処理制御部６１３（図２）から出力された表示制御信号に応じて、画像メモリ６７に書き込まれた１フレームの表示画像、または、情報付加画像を、表示画像信号として画像表示手段４に出力する。
また、画像メモリ６７に書き込まれた情報付加画像は、前述したように、ＣＰＵ６１を構成する印刷出力制御部６１５（図２）に読取られ、印刷出力制御信号として印刷出力部６９に出力される。
【００３７】
〔２．制御基板６の作用〕
制御基板６の作用について、図４〜図９を用いて説明する。
制御基板６は、リモートコントローラ３から出力された各種操作信号に応じて、情報付加画像の印刷処理を行う。情報付加画像の印刷処理は、キャプチャ処理と、番組情報取得処理と、情報付加画像合成処理と、印刷出力処理とから構成される。
図４は、キャプチャ処理および番組情報取得処理を説明するためのフロー図、図５は、画像合成処理を説明するためのフロー図、図６は、印刷出力処理を説明するためのフロー図である。
【００３８】
まず、図４を用いて、キャプチャ処理および番組情報取得処理を説明する。
制御基板６を構成するＣＰＵ６１において、キャプチャ信号検出部６１２は、リモートコントローラ３から出力される操作信号を監視しており（Ｓ１）、キャプチャ信号が入力したか否かを判定している（Ｓ２）。
キャプチャ信号が入力しない場合、キャプチャ信号検出部６１２は、処理Ｓ１に戻り、出力される操作信号の監視を続行する。
一方、キャプチャ信号を検出した場合、キャプチャ信号検出部６１２は、画像情報処理部６６を構成する描画処理部６６２に、キャプチャ処理の実行命令を出力する（Ｓ３）。
【００３９】
描画処理部６６２は、ＣＰＵ６１からキャプチャ処理の実行命令が出力されると（ＳＡ１）、画像メモリ６７に記録されている表示画像をキャプチャ画像として取込む（ＳＡ２）。そして、描画処理部６６２は、取込まれたキャプチャ画像を画像メモリ６７に記録する（ＳＡ３）。
【００４０】
ＣＰＵ６１において、プリント信号検出部６１４は、リモートコントローラ３から出力される操作信号を監視しており（Ｓ４）、プリント信号が入力したか否かを判定している（Ｓ５）。
プリント信号が入力しない場合、プリント信号検出部６１４は、処理Ｓ４に戻り、出力される操作信号の監視を続行する。
一方、プリント信号が入力した場合、放送情報取得部６１６は、タイマ６１１から現在の日時を取得し、さらに、チューナ６３から現在選択されているチャンネルを取得する（Ｓ６）。そして、放送情報取得部６１６は、取得された日時及びチャンネルを番組情報処理部６１７に出力する。
【００４１】
番組情報処理部６１７を構成するＥＰＧ探索部６１７１は、放送情報取得部６１６から出力された日時及びチャンネルに基づいて、メモリ５２に記録されているＥＰＧを探索する。
図７は、ＥＰＧ記憶領域６２１に記録されているＥＰＧ７を説明するための概念図である。ＥＰＧ探索部６１７１は、ＥＰＧ７を探索して、放送情報取得部６１６から取得した日時およびチャンネルに対応するテレビ番組Ｐを特定する（Ｓ７）。
番組情報取得部６１７２は、ＥＰＧ探索部６１７１により特定されたテレビ番組Ｐの番組情報７１（放送日７１１、放送時間７１２、チャンネル７１３、タイトル７１４、番組内容７１５、出演者７１６、ジャンル７１７、その他情報７１８等）を、ＥＰＧ７から取得する（Ｓ８）。
番組情報選択部６１７３は、番組情報取得部６１７２により取得されたテレビ番組Ｐの番組情報７１に基づいて、番組情報選択画面の形成を描画処理部６６２に命令する（Ｓ９）。
【００４２】
描画処理部６６２は、番組情報選択部６１７３から、番組情報選択画面の形成命令が出力されると（ＳＡ４）、番組情報選択画面を形成し、画像表示手段４に表示させる（ＳＡ５）。そして、番組情報選択画面上で取得された番組情報の種別を、番組情報選択部６１７３に出力する（ＳＡ６）。
【００４３】
番組情報選択部６１７３は、描画処理部６６２から出力された番組情報の種別に応じて、キャプチャ画像に重畳表示される番組情報７１を決定する（Ｓ１０）。そして、番組情報選択部６１７３は、決定された番組情報７１、および、画像合成処理の実行命令を、描画処理部６６２に出力する（Ｓ１１）。
【００４４】
次に、図５を用いて、描画処理部６６２が実行する画像合成処理について説明する。
描画処理部６６２において、番組情報画像形成部６６２２は、画像合成処理の実行命令が取得すると（ＳＡ７）、番組情報選択部６１７３から出力された番組情報７１に基づく番組情報画像を形成する（ＳＡ８）。
続いて、表示位置指定部６６２３は、キャプチャ画像に、処理ＳＡ５で形成された番組情報画像を重畳表示して、表示位置調整画面を形成する（ＳＡ９）。
【００４５】
図８は、画像表示手段４で画面表示された表示位置調整画面８を示す模式図である。表示位置指定部６６２３は、リモートコントローラ３から出力される操作信号に従って番組情報画像８１を移動させ、ユーザにより指定される表示位置を取得する（ＳＡ１０）。
合成画像生成部６６２４は、取得された表示位置に基づいて情報付加画像を生成する（ＳＡ１１）。そして、合成画像生成部６６２４は、情報付加画像を画像メモリ６７に記録するとともに（ＳＡ１２）、情報付加画像生成完了の連絡をＣＰＵ６１の印刷出力制御部６１５に出力する（ＳＡ１３）。
【００４６】
最後に、図６を用いて、ＣＰＵ６１が実行する印刷出力処理について説明する。
ＣＰＵ６１において、印刷出力制御部６１５は、情報付加画像生成完了の連絡を取得すると（Ｓ１２）、画像メモリ６７に記録されている情報付加画像を読取る（Ｓ１３）。
そして、印刷出力制御部６１５は、読取った情報付加画像に基づいて印刷出力制御信号を生成し（Ｓ１４）、印刷出力部６９に出力する（Ｓ１５）。
【００４７】
印刷出力部６９は、リモートコントローラ３から出力された印刷出力制御信号に応じて、印刷出力信号をプリンタ５に出力する。
プリンタ５では、印刷出力部６９から出力された印刷出力信号に応じて印刷処理が行われる。そして、図９に示すように、キャプチャ画像９１に番組情報９２が付加された情報付加画像９が印刷される。
【００４８】
本実施形態によれば、まず、キャプチャ信号検出部６１２でキャプチャ信号が検出されると、画像表示手段４で表示されているテレビジョン画像からキャプチャ画像が取込まれるとともに、放送情報取得部６１６が、現在の日時、および、表示中のテレビジョン画像のチャンネルを取得する。番組情報取得部６１７２は、ＥＰＧを参照して、取得された日時およびチャンネルを基に、取込まれたキャプチャ画像が属するテレビ番組を確定する。
次に、番組情報取得部６１７２は、ＥＰＧに含まれている当該テレビ番組の番組情報を取得する。合成画像生成部６６２４は、キャプチャ画像に、取得された番組情報を重畳表示し、情報付加画像を生成する。そして、生成された情報付加画像は、プリンタ５により印刷用紙等に印刷出力される。
【００４９】
すなわち、放送情報取得部６１６により取得された日時およびチャンネルから特定されるテレビ番組は、キャプチャ画像が属するテレビ番組である。これより、印刷出力された情報付加画像には、キャプチャ画像とともに、このキャプチャ画像が属するテレビ番組の番組情報が印字される。
従って、テレビジョン装置１は、キャプチャ画像に関係のある情報を、当該キャプチャ画像とともに印刷出力することができる。
さらに、テレビジョン装置１は、印刷用紙上のキャプチャ画像がどのようなテレビ番組の画像であったのかを、ユーザに知らせることができる。
また、ユーザは、印字された番組情報の種別（放送日時、チャンネル、番組内容、出演者、ジャンル等）を基に、印刷出力されたキャプチャ画像の分類や整理等を行うことができる。
【００５０】
ＥＰＧ記憶部に記憶されるＥＰＧは、ＥＰＧ処理部６５によって、最新のＥＰＧに定期的に更新される。すなわち、番組情報取得部６１７２が取得する番組情報も最新の番組情報となる。
従って、本実施形態のテレビジョン装置１は、印刷出力されるキャプチャ画像に、新鮮な番組情報を印字することができる。
【００５１】
さらに、チューナ６３で受信されたＥＰＧは、ＥＰＧ記憶領域６２１に記憶され、このＥＰＧ記憶領域６２１に記憶されたＥＰＧから番組情報が取得される。すなわち、番組情報取得部６１７２は、キャプチャ画像の取込みと同時期に受信された情報をそのまま取得するのではなく、ＥＰＧ記憶領域６２１に一時記憶されている情報を取得する。
従って、番組情報取得部６１７２は、記憶されているＥＰＧから番組情報を厳選して取得することができる。
【００５２】
そして、ユーザは、図８に示す表示位置調整画面８を確認しながら、キャプチャ画像上での番組情報画像８１の表示位置を調整することができる。例えば、キャプチャ画像に文字が表示されている場合でも、その文字と重ならない位置に番組情報画像８１を配置させることで、文字や番組情報が見難くなることを避けることができる。
【００５３】
また、ユーザは、番組情報選択画面に従って、取込まれたキャプチャ画像に重畳表示させる番組情報の種別を選択することができる。例えば、ユーザが、印刷出力されたキャプチャ画像をテレビ番組のジャンルで分類したい場合、番組情報選択部６１７３の誘導時に、番組情報「ジャンル」を選択すると、キャプチャ画像には、そのキャプチャ画像が属するテレビ番組のジャンルが印字される。これにより、ユーザは、印刷出力されたキャプチャ画像の分類や整理などをさらにし易くなる。
従って、テレビジョン装置１は、ユーザの希望する種別の番組情報をキャプチャ画像に重畳表示させて印刷出力することができる。
【００５４】
〔３．前記実施形態の変形〕
本発明を実施するための最良の構成などは、以上の記載で開示されているが、本発明はこれに限定されるものではない。すなわち、前記実施形態は、本発明を限定するものではないから、それらの形状、材質などの限定の一部若しくは全部の限定を外した部材の名称での記載は、本発明に含まれるものである。
本発明では、テレビジョン装置として、フロントプロジェクタ、リアプロジェクタ、プラズマテレビ、液晶テレビ、および、ブラウン管式テレビ等が挙げられる。すなわち、画像表示手段４として、液晶パネル、または、デジタル・マイクロミラー・デバイス（テキサスインスツルメント社商標）、ＰＤＰ（Plasma Display Panel）等を備える電気光学装置、および、ＣＲＴ（Cathode Ray Tube）ディスプレイ等が挙げられる。
【００５５】
本発明では、ＥＰＧは、テレビジョン放送信号の隙間を使って搬送されるもの、インターネット回線を介して搬送されるもの、および、データ放送信号に含まれて搬送されるもの等が考えられる。
本発明では、描画処理部６６２が番組情報画像８１を形成する際に、ユーザの入力操作によって、番組情報画像８１上にテキスト表示される文字や記号のフォント・色・行方向等を変更できるように構成してもよい。なお、番組情報画像８１上の文字や記号は、通常の画面表示フォントでも良いが、プリンタ５の解像度に応じたプリンタフォントを採用すると、より鮮明に印字されることができる。
【００５６】
前記実施形態では、情報付加画像において、キャプチャ画像上に番組情報画像を重ねたが、印刷用紙においてキャプチャ画像の周囲に余白を作り、この余白上に番組情報画像を重ねてもよい。このようにすれば、番組情報画像によってキャプチャ画像が隠れることがない。
本発明では、キャプチャ画像を、画像表示手段４による画面表示用、また、プリンタ５による印刷出力用に画質調整を行うように構成してもよい。さらに、キャプチャ画像を、他の画像表示装置やパーソナルコンピュータ等に画像出力するために画質調整を行うように構成してもよい。
【産業上の利用可能性】
【００５７】
本発明は、テレビジョン装置に利用することができる。
【図面の簡単な説明】
【００５８】
【図１】本発明の一実施形態に係るテレビジョン装置の内部構成を示すブロック図。
【図２】前記実施形態に係るＣＰＵの機能的構成を示すブロック図。
【図３】前記実施形態に係る描画処理部の機能的構成を示すブロック図。
【図４】前記実施形態に係る制御基板が実行するキャプチャ処理および番組情報取得処理を説明するためのフロー図。
【図５】前記実施形態に係る制御基板が実行する画像合成処理を説明するためのフロー図。
【図６】前記実施形態に係る制御基板が実行する印刷出力処理を説明するためのフロー図。
【図７】前記実施形態に係るＥＰＧ記憶領域に格納されたＥＰＧを説明するための概念図。
【図８】前記実施形態に係る画像表示手段により画面表示された情報付加画像を示す模式図。
【図９】前記実施形態に係るプリンタにより印刷出力された情報付加画像を示す模式図。
【符号の説明】
【００５９】
１…テレビジョン装置、２…装置本体、４…画像表示手段、５…プリンタ（印刷出力部）、６…制御基板（制御手段）、６１１…タイマ（計時部）、６１２…キャプチャ信号検出部、６１６…放送情報取得部、６１７１…ＥＰＧ探索部（電子番組表探索部）、６１７２…番組情報選択部（番組情報選択部）、６１７３…番組情報取得部（番組情報取得部）、６２１…ＥＰＧ記憶領域（電子番組表記憶部）、６３…チューナ（受信手段）、６５…ＥＰＧ処理部（電子番組表更新部）、６６２１…静止画像取込部、６６２３…表示位置指定部、６６２４…合成画像生成部、６９…印刷出力部（印刷出力制御部）、７…ＥＰＧ（電子番組表）、７１…番組情報（番組情報）、８…表示位置調整画面、９…情報付加画像、Ｐ…テレビ番組
【図１】
2007006130.tif 000003
【図２】
2007006130.tif 000004
【図３】
2007006130.tif 000005
【図４】
2007006130.tif 000006
【図５】
2007006130.tif 000007
【図６】
2007006130.tif 000008
【図７】
2007006130.tif 000009
【図８】
2007006130.tif 000010
【図９】
2007006130.tif 000011